(57)【要約】【課題】  撹拌槽中の高粘度流体の撹拌において、良好な循環流を形成して効率的に撹拌を行うことのできる撹拌装置及び撹拌槽の提供。【解決手段】  撹拌槽２中で、垂直に配置した回転軸３の周りに複数の回転翼を配置して高粘度流体を撹拌する撹拌装置１であって、前記回転軸３の上部に、回転軸３の回転方向に対し傾斜した板状の傾斜翼５，６を配置し、前記回転軸３の下部に、回転軸３に平行な板状のパドル４を配置し、前記傾斜翼５，６の外周端は、前記回転軸３上方から見たときに、回転軸３を中心とする円周上にあり、前記傾斜翼５，６の上半部の外周端には、下方に向かう垂直板７，８を備えていることを特徴とする撹拌装置。【選択図】  図１
2010058027.tif 000002
【特許請求の範囲】
【請求項１】
撹拌槽中で、垂直に設置した回転軸の周りに複数の回転翼を配置して高粘度流体を撹拌する撹拌装置であって、
前記回転軸の上部に、回転軸の回転方向に対し傾斜した板状の傾斜翼を配置し、
前記回転軸の下部に、回転軸に平行な板状のパドルを配置し、
前記傾斜翼の外周端は、前記回転軸上方から見たときに、回転軸を中心とする円周上にあり、
前記傾斜翼の上半部の外周端には、垂直板を備えていることを特徴とする撹拌装置。
【請求項２】
前記垂直板は、前記傾斜翼の端部から下方、上方、又は上下方向に形成されていることを特徴とする請求項１に記載の撹拌装置。
【請求項３】
前記傾斜翼の上部に、回転軸の回転方向に対し傾斜した板状の追加の傾斜翼を配置し、
前記追加の傾斜翼の外周端は、前記回転軸上方から見たときに、回転軸を中心とする円周上にあり、
前記追加の傾斜翼の上半部の外周端には、垂直板を備えていることを特徴とする請求項１又は２に記載の撹拌装置。
【請求項４】
前記垂直板の下端は、前記傾斜翼の回転軸との結合部を通る水平面以上の高さにあることを特徴とする請求項１〜３のいずれか一項に記載の撹拌装置。
【請求項５】
前記傾斜翼及び追加の傾斜翼は、水平面に対し２０〜７０度の傾斜角を有し、
前記パドルは、先端部が回転方向に対し３０〜４５度の後退角で屈曲又は湾曲していることを特徴とする請求項１〜４のいずれか一項に記載の撹拌装置。
【請求項６】
請求項１〜５のいずれか一項に記載の撹拌装置を備えた円筒形の撹拌槽であって、
前記回転軸上方から見たときに、前記円筒形の内直径が前記傾斜翼の外周端の形成する円弧の直径の１．３〜１．８倍であり、
前記円筒形の直径は、前記パドルの回転軸中心から外周端までの長さの１．１〜１．５倍であることを特徴とする撹拌槽。
【請求項７】
内壁には邪魔板を備え、前記邪魔板の下端は前記垂直板の下端と略同じ高さであり、上端は前記傾斜翼の上端より、５０〜１５０ｍｍ上の高さ、又は前記円筒形の直径の０．１〜０．２倍の距離だけ上の高さのいずれか高い方であることを特徴とする請求項６に記載の撹拌槽。
【発明の詳細な説明】
【技術分野】
【０００１】
本発明は、撹拌装置及び撹拌槽に関する。
【背景技術】
【０００２】
粘性流体中に他の流体や粉体を混合したり、流体原料の発熱重合反応などにおいて反応物を温度制御したりする場合、撹拌装置は重要な役割を担う。一般に、異種流体の混合においては、撹拌により迅速に均一混合し、発熱流体の温度制御においても、撹拌による流体温度の均一化が行われる。低粘度流体の混合や温度制御は、比較的容易であり、通常の板状翼、タービン翼、プロペラ翼等を利用すればよい。しかし、粘度の高い流体を撹拌し、均一に混合することは容易ではない。この為、多くの撹拌装置が提案されている。ある程度の粘度域の流体であれば、例えば、複数段のパドル翼を備えた撹拌装置や、ヘリカルリボン翼などでも有効に機能する。
【０００３】
最近は、さらに高粘度の流体の撹拌に適した撹拌装置として、傾斜翼と板状パドル翼を組み合わせたものが提案されている。すなわち、撹拌槽底部に配置した板状パドル翼により、撹拌槽底部から周縁部を上昇し、撹拌槽の中心部を下降する循環流を形成し、さらに、板状パドル翼の上部に配置した傾斜翼で流体の循環を強調したり、部分的な撹拌を起こさせたりする２段撹拌翼を備えた撹拌装置が提案されている。
【０００４】
その典型的な例を図４に示す。図４に示す縦型撹拌槽に配置された撹拌装置１１は、回転軸１３の上部に２枚の傾斜翼１５，１６を備え、下部には回転軸１３の軸方向に垂直な板状の板状パドル１４を備えている。この撹拌装置１３では、回転に伴って、上部の傾斜翼１５，１６が撹拌槽１２上層の高粘度流体を下部へ押し下げ、押し下げられた高粘度流体は、下部の板状パドル１４により円周方向へ放出される。円周方向へ放出された高粘度流体は、撹拌槽１２の壁面に沿って上昇し、撹拌槽１２の上層に達する。上層に達した流体は、再び２枚の傾斜翼１５，１６により撹拌槽１２の下部へ引き込まれていく。そして、高粘度の流体は、下降するときは、撹拌槽の中心部の円柱状の領域を流下し、板状パドル１４により撹拌槽１２の円周方向へ放出され、撹拌槽周縁部の円筒状の領域を上昇する。このように、流体の流動断面の形状を変化させることにより剪断による混合を行い、高粘度流体であっても、均一な混合をすることができる。
【０００５】
特許文献１には、流体中に添加した溶剤の塊や粉体の塊を砕いて流体中に分散させるため、剪断力を高めた撹拌装置が提案されている。この撹拌装置は、図５に示すように、図４に示した撹拌装置の変形例であり、回転軸２４の下部に平板パドル２１を配置し、上部に流体を上昇させる方向に傾斜させた壁寄り傾斜パドル２６と、流体を下降させる方向に傾斜させた軸寄り傾斜パドル２９とを組み合わせた傾斜翼の組を２組設けている。なお、図示していないが、この場合、撹拌槽には、邪魔板が設置されている。このようにして、軸寄り傾斜パドル２９により下降流を形成し、壁寄り傾斜パドル２６により上昇流を助勢して、高粘度流体や固形物を含む流体の循環を良好にできるとしている。
【０００６】
特許文献２には、低粘度の流体から、高粘度の流体まで幅広い粘度域の流体を撹拌、混合できる撹拌装置が提案されている。この撹拌装置は、図６に示すように、図４に示した撹拌装置の改良型であり、回転軸３２の下部には板状パドル３９が設置されており、上部の傾斜翼は、回転軸３２から上方に向かって傾斜して設置された上部傾斜翼３７と、回転軸３２から下方に向かって傾斜して設置された下部傾斜翼３８とを備え、上部傾斜翼３７の下部と下部傾斜翼３８の上部とは、軸方向に互いに重複して配置されている。傾斜翼をこのように上下２組とし、上部傾斜翼３７の一部と下部傾斜翼３８の一部を軸方向に重複して配置することにより、回転軸の回転に伴って上部傾斜翼３７の下側（前面側）に引き込んだ流体を、スムースに下部傾斜翼３８の上側（背面側）に移動させ、撹拌槽下部の板状パドル３９まで移送することができるとしている。すなわち、この撹拌装置は、下部傾斜翼３８は回転に伴って上側（背面側）に負圧が形成されるが、上部傾斜翼３７の下側（前面側）から送り出されてくる流体が下部傾斜翼３８の上側（背面側）に流れ込む構造になっており、スムースに下降流を形成できるので、高粘度流体にも、低粘度流体にも適した撹拌装置であるとしている。
【０００７】
特許文献３には、特許文献２に記載の撹拌装置のさらなる改良型の撹拌装置が提案されている。この撹拌装置は、図６に示す撹拌装置と概略の構造は同じであるが、定量的な特定がなされている。この撹拌装置は、板状パドル３９（板状翼）を回転軸３２に固定するボスの長さを板状パドル３９の高さの０．７５倍以下とし、撹拌槽３１の底面と板状パドル３９の下部との間隙を前記ボスの長さの０．９倍以下とすることを提案している。このようにすることにより、撹拌槽３１底部の回転軸３２直下での流体の澱みを防止することができ、粉体のような固体を含む高粘度流体の撹拌にも適しているとしている。
【特許文献１】特開２００２−２７３１８８号公報
【特許文献２】特開平０９−７５６９９号公報
【特許文献３】特開２０００−２１０５４９号公報
【発明の開示】
【発明が解決しようとする課題】
【０００８】
２段撹拌翼を備えた撹拌装置は、撹拌槽内で高粘度流体の大きな循環流を形成して、流体を中央部に集めたり、外周部に分散させたりすることにより、流体同士を剪断しながら混合して撹拌しているものと考えられる。この点で、図４に示した撹拌装置を始めとして、特許文献１〜３に開示されている撹拌装置は、傾斜翼による下降流の形成と板状パドルによる流体の撹拌槽外周方向への分散と上昇流の形成との組合せにより、上下の大きな循環流を形成することができ、剪断による撹拌の必要な高粘度流体の撹拌に適していると考えられる。
【０００９】
本発明者の検討によると、高粘度流体、特に粘度が１０００ｃＰ（１Ｐａｓ）を超えるような流体の撹拌においては、流体を撹拌槽中心部に集めて下降させ、次に、撹拌槽の周縁部に拡げるようにして上昇させることを繰り返すことによることが好ましい。これは、水分を含む粘土やうどん粉の塊を延ばしたり畳んだりを繰り返して、均一混合する方法と類似している。図４に示したような、傾斜翼と板状パドルを組合せた撹拌装置は、撹拌槽内に大きな対流を生成し、上記の高粘度流体の混合に適する面もあるが、一方で部分的な激しい撹拌や混合により、上昇流と下降流の循環を妨げるだけでなく、流体内への泡の巻き込みや渦の発生を生じたり、流体の循環を妨害し余分な動力を必要としたりして好ましくない点もある。
【００１０】
図４に示した撹拌装置を始めとして、特許文献１〜３に開示されている撹拌装置による撹拌においては、上昇流と下降流の境界付近で流体が部分的な撹拌状態になり、互いに干渉を起こし、良好な循環流形成の妨げになっている。低粘度流体の撹拌であれば、流動方向の異なる流体同士の接触による干渉は、混合を促進する要素となるが、高粘度流体の撹拌においては、逆に混合効率を低下させる要素となる。特に、粘度が１０００ｃＰ（１Ｐａｓ）を超えるような高粘度流体の場合、撹拌槽の中で効率よく流体の分散状態（槽周縁部の上昇流）と集合状態（槽中心部の下降流）とを繰り返すことが必要であり、上昇流と下降流の干渉の少ない良好な循環流を形成することが求められる。
【００１１】
本発明の目的は、上記問題点を踏まえ、撹拌槽中の高粘度流体の撹拌において、良好な循環流を形成して効率的に撹拌を行うことのできる撹拌装置及びこれを備えた撹拌槽を提供することである。
【課題を解決するための手段】
【００１２】
本発明は、撹拌槽中で、垂直に設置した回転軸の周りに複数の回転翼を配置して高粘度流体を撹拌する撹拌装置であって、前記回転軸の上部に、回転軸の回転方向に対し傾斜した板状の傾斜翼を配置し、前記回転軸の下部に、回転軸に平行な板状のパドルを配置し、前記傾斜翼の外周端は、前記回転軸上方から見たときに、回転軸を中心とする円周上にあり、前記傾斜翼の上半部の外周端には、下方若しくは上方、又は上・下方の両方に向かう垂直板を備えていることを特徴とする撹拌装置である。
【００１３】
本撹拌装置による撹拌においては、垂直板が、傾斜翼により形成された下降流の径方向への流出を防ぎ、流体を効率よくパドル方向に移送するだけでなく、パドルにより形成された撹拌槽周縁部の上昇流に対し下降流が流出し干渉することも防いでいる。これにより、流体の効率的な循環が行われる。高粘度流体、特に粘度１０００〜１００００ｃＰ（１〜１０Ｐａｓ）程度の高粘度流体の撹拌においては、撹拌槽内における循環が重要であり、本撹拌装置は、このような高粘度流体を好適に撹拌することができる。さらに、垂直板は、上昇流との接触面において、摩擦力により流体を垂直板の回転方向に回転させる作用がある。この為、高粘度の流体は、上昇しながら垂直板との接触面で回転方向に回転力を付与され、一方で撹拌槽の壁面では、回転を押さえる方向の摩擦力を受ける。この作用により、高粘度の液体は、回転方向に層状に剪断され且つ引き延ばされながら上昇するので、強い撹拌効果が加わることになる。
【００１４】
好ましい本発明は、前記垂直板は、前記傾斜翼の端部から下方、上方、又は上下方向に形成されていることを特徴とする前記撹拌装置である。
【００１５】
本撹拌装置における垂直板は、傾斜翼の端部から下方、上方、又は上下方向のいずれに形成されていても上記のような効果を発揮できる。下方にあれば、傾斜翼の下側の流体を撹拌槽の壁面方向ではなく、撹拌槽の下方に導く作用が強く、上方にあれば、傾斜翼の上側の流体を撹拌槽の壁面方向ではなく、撹拌槽の下方に導く作用が強く、上下両方にあれば、傾斜翼の上下両方の流体を撹拌槽の壁面方向ではなく、撹拌槽の下方に導く作用が強く働く。
【００１６】
好ましい本発明は、前記傾斜翼の上部に、回転軸の回転方向に対し傾斜した板状の追加の傾斜翼を配置し、前記追加の傾斜翼の外周端は、前記回転軸上方から見たときに、回転軸を中心とする円周上にあり、前記追加の傾斜翼の上半部の外周端には、垂直板を備えていることを特徴とする前記撹拌装置である。
【００１７】
本撹拌装置による撹拌においては、比較的縦長の撹拌槽であっても、追加の傾斜翼を設置することにより、下降流の流速を十分維持することができる。
【００１８】
好ましい本発明は、前記垂直板の下端は、前記傾斜翼の回転軸との結合部を通る水平面以上の高さにあることを特徴とする前記撹拌装置である。
【００１９】
垂直板を回転軸との結合部を通る水平面よりも下側まで長くすると、傾斜翼の下半面（回転軸と結合された傾斜翼の回転方向後側部分の翼面）上で、外周部から回転軸中心方向への流体の引き込みを阻害する結果、傾斜翼の上半面（回転軸と結合された傾斜翼の回転方向前側部分の翼面）から下半面への流れを増大させる働きを阻害するので好ましくない。これを防ぐため、垂直板の下端は、傾斜翼の回転軸との結合部を通る水平面以上の高さまでとすることが好ましい。なお、追加の傾斜翼に設置する垂直板も、追加の傾斜翼に対して前記と同様の配置とすることが好ましい。
【００２０】
好ましい本発明は、前記傾斜翼及び追加の傾斜翼は、水平面に対し２０〜７０度の傾斜角を有し、前記パドルは、先端部が回転方向に対し３０〜４５度の後退角で屈曲又は湾曲していることを特徴とする前記撹拌装置である。
【００２１】
傾斜翼の傾斜角２０〜７０度は、撹拌テストによって求められた好適な下降流の形成のできる範囲であり、下降流形成に効果的な傾斜角である。また、パドルの先端部の後退角も回転方向に対し３０〜４５度とすることが、効率的に上昇流を形成する上で好ましい。
【００２２】
本発明は、前記撹拌装置のいずれかひとつを備えた円筒形の撹拌槽であって、前記回転軸上方から見たときに、前記円筒形の内側の直径が前記傾斜翼の外周端の形成する円弧の直径の１．３〜１．８倍であり、前記円筒形の直径は、前記パドルの回転軸中心から外周端までの長さの１．１〜１．５倍であることを特徴とする撹拌槽である。
【００２３】
本発明の撹拌槽は、撹拌槽の内径が、内部に設置した撹拌装置の傾斜翼の外周端の形成する円弧の直径の１．３〜１．８倍である。このことは、下降流の占める断面積と上昇流の占める断面積をほぼ等しくして、下降流と上昇流の流速をほぼ同じにする効果をもたらしている。この比率は、撹拌槽内の傾斜翼や邪魔板等の占める断面積を無視すれば、１．４倍（２１／２倍）倍とすればよい。しかし、撹拌槽内には傾斜翼や邪魔板等が設置されているので、個々の撹拌槽に対し１．３〜１．８倍の間で好適な値を選べばよい。同様に、前記円筒形の半径は、前記パドルの回転軸中心から外周端までの長さの１．１〜１．５倍とすることで、効率よく下降流が外周部へ拡散し、上昇流となっていく。
【００２４】
本発明は、内壁には邪魔板を備え、前記邪魔板の下端は前記垂直板の下端と略同じ高さであり、上端は前記傾斜翼の上端より、５０〜１５０ｍｍ上の高さ、又は前記円筒形の直径の０．１〜０．２倍の距離だけ上の高さのいずれか高い方までであることを特徴とする撹拌槽である。
【００２５】
本発明の撹拌槽においては、垂直板とほぼ同じ水平位置に邪魔板が設置されている。この邪魔板は、上述の上昇流体に対する垂直板側と撹拌槽内壁側との剪断効果を向上させるものである。さらに、撹拌槽内壁付近で滞留しがちな境界層流を内壁から引きはがし、撹拌槽中心方向に引き込む効果があり、境界層流内の未混合を生じさせない働きがある。また、垂直板とほぼ同じ水平位置に邪魔板を設置するのは、剪断効果を期待できない位置、例えば、垂直板よりも下に邪魔板があれば、回転方向の剪断効果はほとんど期待できない一方、上昇流の抵抗になるので、かえって流体の螺旋的上昇、すなわち循環を妨害することになり好ましくない。上端は前記傾斜翼の上端より、５０〜１５０ｍｍ上の高さ、又は前記円筒形の直径の０．１〜０．２倍の距離だけ上の高さのいずれか高い方までとしているのは、撹拌槽の液面が外周部分で盛り上がるため、その盛り上がり高さに相当する分高くすることが好ましいからである。言い換えれば、邪魔板の上端は撹拌される液体の撹拌槽外周部における液面よりも高くすることである。
【発明の効果】
【００２６】
本発明によれば、撹拌槽中の高粘度流体の撹拌において、良好な循環流を形成して効率的に撹拌を行うことのできる撹拌装置及びこれを備えた撹拌槽を提供することができる。
【発明を実施するための最良の形態】
【００２７】
本発明の実施の形態を、具体的図面を参照にして説明する。なお、本発明は、この実施の形態に限定されるものではなく、本発明の目的を逸脱しない範囲で変形、変更することができる。
【００２８】
図１は、典型的な本発明の撹拌装置の例を示す概略図である。（ａ）は正面図、（ｂ）は平面図である。なお、図１における撹拌装置１は、撹拌槽２に中に設置されているところが記載されている。撹拌槽２は、円筒形容器である縦型撹拌槽であり、上部から本発明の撹拌装置１が挿入されており、本発明の撹拌槽であるともいえる。
【００２９】
まず、本発明の撹拌装置１について説明する。本発明の撹拌装置１は、回転軸３の下部には板状のパドルである板状パドル４が固定されている。板状パドル４は、回転軸３に平行な板であり、回転軸の径方向に延出して配置されている。そして、板状パドル４の先端部付近は、回転軸３に平行なまま回転軸３の回転方向に対し３０〜４５度の後退角で後退するように屈曲又は湾曲していることが好ましい。このようにすることで、撹拌中の流体が板状パドル４の裏側（回転時の板状パドル４の後側）に巻き込まれることを押さえることができる。なお、板状パドル４は、複数枚であっても良い。そのときは、板状パドル４は等間隔に配置することが好ましい。
【００３０】
撹拌槽２の半径と回転軸３の中心から板状パドル４の外周端までの距離の比は１．１〜１．５とすることが好ましい。板状パドル４の外周端は撹拌槽２の側壁に近いほど大きくなり、下降流を撹拌槽２の周縁部に移送する能力は大きくなるが、撹拌槽２の周縁部では、移送された流体が上昇流となって上昇するための通路が必要である。この通路を確保するために、撹拌槽２の半径と回転軸３の中心から板状パドル４の外周端までの距離の比を１．１〜１．５とすることが好ましい。
【００３１】
板状パドル４の上部には、同じ形状の傾斜翼５と傾斜翼６が配置されている。傾斜翼５と傾斜翼６は、それぞれ内側中央部が回転軸３に固定されており、傾斜翼５と傾斜翼６とが回転軸３を中心にして回転軸対象になるように回転軸３の両側に配置されている。なお、傾斜翼は、２枚以上であることが好ましく、回転軸３を中心にして互いに等間隔で回転軸３の周りに配置され、回転軸３を回転したときに回転軸３には均等に遠心力が掛かるようにすることが好ましい。傾斜翼５と傾斜翼６は、接続治具９により回転軸３の同じ高さ位置に固定されている。それぞれの傾斜翼５と傾斜翼６は、回転軸の回転方向に対して傾斜している。言い換えれば、傾斜翼５及び傾斜翼６は、回転軸３との接続点より回転方向の前にある部分が高くなっている（低くなっていてもよいが、この場合は、回転軸を逆に回転させるときを正常回転とする。）。傾斜翼５及び傾斜翼６の傾斜角度は、回転方向（水平面）に対しておよそ４５度であり、通常は２０〜７０度の中で設定することが好ましい。このようにすることで、傾斜翼５及び傾斜翼６が流体を下方へ下降させる効果が最もよく発揮される。
【００３２】
撹拌槽が内径に比して高さが高い場合は、上下方向に多段の傾斜翼を取り付けてもよい。多段の傾斜翼を取り付けた場合、最下段の傾斜翼より上の傾斜翼を追加の傾斜翼と呼ぶことにする。追加の傾斜翼にも垂直板が設置され、垂直板の下端は、それぞれの追加の傾斜翼の回転軸との結合部を通る水平面以上の高さとすることが好ましい。垂直板の取り付けられた追加の傾斜翼は、上半面（回転軸との結合部より回転方向前部）のみとし、通常の傾斜翼（最下部に配置する傾斜翼）の上部に追加してもよい。さらに、高さ比の高い撹拌槽の場合は、通常の傾斜翼と全く同じものを追加してもよい。
【００３３】
本発明の撹拌槽２は、撹拌槽２の内径が、内部に設置した撹拌装置の傾斜翼５，６の外周端の形成する円弧の直径の１．３〜1．８倍である。この撹拌槽２の直径は、理論的には１．４倍（２１／２倍）倍とすればよいが、回転軸３、傾斜翼５，６、垂直板７，８の断面積、および撹拌槽内壁付近で滞留しがちな境界層の占める断面積を考慮して１．３〜1．８倍とした。なお、この実施形態では、撹拌槽の内径を１．５４倍とした。これにより、下降流の占める領域の断面積と上昇流の占める領域の断面積をほぼ等しくなり、下降流と上昇流の流速を同じにすることができる。
【００３４】
板状パドル４の回転時に外周端の形成する円に対して、撹拌槽２の内径は１．１〜１．５倍とすることが好ましい。この実施形態では、撹拌槽２の内径は１．４倍である。このようにして、回転軸３の回転の駆動力に対し効果的に上昇流を形成している。
【００３５】
傾斜翼５及び傾斜翼６は、図１（ｂ）に示した平面図から分かるように、その外周端は、回転軸３を中心にした円周上にある。すなわち、平面図で見れば、傾斜翼５及び傾斜翼６の外形は、回転軸３が回転しているときは、円形になっている。傾斜翼５及び傾斜翼６を部品として見るときは、図２（ａ）に示すように、楕円形の平板の長径側を切断するように２等分して、鋭角部の面取りをした形状とすればよい。
【００３６】
本発明の撹拌装置１においては、傾斜翼５，６は、それぞれ外周端に垂直板７，８を備えている。垂直板７，８は、傾斜翼５，６の上半部側の外周端から垂直に垂れている板である。この垂直板７，８は、傾斜翼５，６の外周端に配置されているので、平面図１（ｂ）においては、傾斜翼５，６の外周端と同じ円の一部となっている。また、正面図１（ａ）においては、三角形になっている。垂直板７，８は、下端が傾斜翼５，６の中央部を通る水平面と同じ高さ、又はそれより上にあることが好ましい。図２（ａ）に示す傾斜翼５の平面図で説明すれば、図の右半部分が傾斜翼上部として、傾斜翼の外周端と中心から角度τだけ右側に傾斜した線との交点まで垂直板を配置すればよい。角度τは、０〜６０度、好ましくは０〜４５度の範囲とすることが望ましい。なお、垂直板７，８の形状は、円筒の一部であるが、傾斜翼５，６から取り外して平坦にすれば、垂直板の形状が図２（b
）のように下側のみであれば、ほぼ三角形である。
【００３７】
垂直板７，８は、図２（ｂ）〜２（ｅ）に示すように、傾斜翼５，６の外周側の端部から下側、上側、上下両側のいずれに形成されていてもよい。また、図には示していないが、傾斜翼５，６の外周側の端部から上側のみに垂直板を形成してもよい。傾斜翼５，６はその下側では、流体を押しつけて下降流を生じさせ、上側では、流体を引き付けて下降流を生じさせる作用がある。このとき、流体に同時に回転によるラジアル方向への遠心力が働くので、この遠心力による流体のラジアル方向への拡散を押さえることが、垂直板７，８の重要な役目である。さらに、回転する垂直板７，８の外周面が旋回しながら上昇する流体に剪断力を与えるのも垂直板７，８の重要な役目である。また、垂直板７，８の平坦にしたときの形状は、図２（ｂ）〜２（ｅ）に示すように、台形や平行四辺形など、どのような形状でもでもよい。また、角部を面取りして流体の流動抵抗を軽減してもよい。
【００３８】
垂直板７，８の下端部は、傾斜翼５，６の中央部と同じ高さ位置より幾分上にしてある。垂直板７，８は、短すぎれば、下降流の傾斜翼５，６の外側へのはみ出しを十分に抑制できず、中央部より下側に長すぎると、傾斜翼５，６の下半面（回転軸と結合された傾斜翼の回転方向後側半分の翼面）上で外周部から回転軸中心方向への流体の吸い込みを阻害する結果、傾斜翼の上半面から下半面への流れを増大させる働きを阻害するので、傾斜翼５，６の中央部と同じ高さ位置までの長さとすることが好ましい。
撹拌槽が比較的縦長の場合は、傾斜翼を二組以上備えた撹拌装置とすることもできる。図２（ｅ）は、二組の傾斜翼を備えた撹拌装置である。図２（ｅ）においては、下側の傾斜翼は、図２（ｃ）に示したもの同じ垂直板を備えた傾斜翼であり、上側の傾斜翼は、図２（ｄ）に示したもの同じ垂直板を備えた傾斜翼である。なお、図２（ｅ）は、二組の傾斜翼５，６と、傾斜翼５'，６'が回転軸３から同じ方向に出ているが、傾斜翼５，６と、傾斜翼５'，６'を回転方向にずらして配置してもよい。例えば、傾斜翼５，６と、傾斜翼５'，６'を回転方向９０度、又は３０度ずらすことで下降流を効率よく形成することがある。
【００３９】
垂直板の効果について説明する。まず第一に、垂直板は、撹拌中に傾斜翼により形成される下降流を効率よく下方へ導く効果を有している。図３を参照して説明する。図３（ｂ）は、従来の撹拌装置（図４に示した撹拌装置）による撹拌の状態を模式的に示したものである。図３（ｂ）において、回転軸１３が軸の回転方向を示す矢印Ａ方向に沿って回転すると、傾斜翼１５、１６も同じ矢印Ａ方向に回転する。そして、流体は、傾斜翼１５、１６によって下方へ押し込まれていく。そのとき、実際には、傾斜翼１５、１６表面との摩擦により、流体も少し軸の回転方向を示す矢印Ａ方向に回転しながら下降していく。しかし、図３（ｂ）においては、回転している傾斜翼１５、１６を基準にして、流体の相対的な動きを示している。このため、傾斜翼１５により押さえ込まれて下降していく流体は、下降流が傾斜翼１５の外側方向で、図３（ｂ）の遠心下降流でＢ方向へ流れながら下降していく様に図示されている。
【００４０】
ここで、問題となるのは、傾斜翼１５の外側に流れ出ていく下降流である。この外側に流れていく下降流は、撹拌槽１２の周壁に沿って回転軸の回転方向と同じ方向に回転しながら上昇している上昇流Ｃとぶつかる。そして、上昇流Ｃの上昇力を弱める方向に作用する。勿論、下降流自身も下降の力が弱まる。このようにして下降流と上昇流が傾斜翼１５の外周部付近で干渉し合い、互いの流動を妨げ合い、結果として撹拌槽１２の良好な流体の循環を妨げることになる。
【００４１】
これに対して、図３（ａ）は、本発明の撹拌装置における流体の流動状態を示す模式図である。図３（ａ）の見方は、図３（ｂ）と同じであり、図３（ａ）が図３（ｂ）と相違するのは、傾斜翼５の外周部の一部に垂直板７が設置されていることである。この垂直板７の効果により、傾斜翼５の外周側に向かってきた下降流Ｂは、垂直板７にぶつかって方向転換し、傾斜翼５の周方向に向かいながら下降していく。このため、下降流が螺旋状の上昇流Ｃと接触する領域が少なくなり、下降流Ｂと上昇流Ｃは互いに干渉することなく流動する。結果として撹拌槽２中の流体は、良好な循環を続けることができる。また、下降流Ｂと上昇流Ｃの干渉がない分、撹拌翼を回転させる動力も少なくて済む。
【００４２】
垂直板７，８の役目の一つは、傾斜翼面上の上半分で強く発生するラジアル方向の流れを、垂れ板が強制的に内側に戻し、且つ翼面上で強い下降流に換えることで、下半面上の下降流れを促進し、回転軸中心に向かう強い旋回下降流を発生させる。このことで撹拌槽全体に渡る大きな対流を発生させることができる。したがって、回転軸下部の中心付近で滞留部は発生しにくい。螺旋状の上昇対流との干渉が小さく、上昇対流を妨げない。高粘度流体（プロペラレイノルズ数Ｒｎ<数百）の撹拌による混合は、乱流（渦流）に因るのではなく、まだらの多重層のまま引き延ばし、折り曲げて重ねることを繰り返しことで最終的な混合状態を得るのがもっとも効率的である。
【００４３】
さらに、垂直板７は上昇流Ｃに摩擦力により上昇流Ｃ方向の回転力を付ける。一方上昇流Ｃは撹拌槽２の壁面の摩擦力により上昇流Ｃ方向の回転を止める方向の力を受けている。上昇流Ｃは、この相反する両者の応力により剪断力を受け、剪断されながら上昇する。この剪断作用により、高粘度の流体の撹拌が促進される。
【００４４】
撹拌槽２に設けた邪魔板１０は、撹拌槽内壁付近で滞留しがちな境界層流を内壁から引きはがし、撹拌槽中心方向に引き込む効果があり、境界層流内の未混合を生じさせない働きがある。撹拌槽２の壁面に設ける邪魔板１０は、垂直板７，８の下端部とほぼ同じ高さから垂直板７，８の上端部より５０〜１５０ｍｍ程度上まで設けることが好ましい。撹拌槽２が大きい場合には、上端部より５０〜１５０ｍｍに替えて、上端部より撹拌槽２の円筒形の直径の０．１〜０．２倍とすることが好ましい。なお、この邪魔板は、どのような形状でもよいが、平面図１（ｂ）に表される断面形状が撹拌槽２の壁面から突出した凸状であることが好ましく、例えば、三角形、台形、半円形などとすればよい。このような形状とすれば、流体の一部に乱流を起こすような抵抗はなく、撹拌槽内壁付近の境界層を回転軸中心方向に引き込み、境界層流内で未混合部分が発生しないような働きをする。
【００４５】
（実施例１）
図７に示したような撹拌槽（内径約２００ｍｍ、高さ２５０ｍｍ、実効容量8Ｌ）に、２５℃のときの粘度５４００ｃＰ（５．４Ｐa・ｓeｃ）のポリオール（ポリウレタン樹脂原料）を７Ｌ仕込み、流体温度２５℃として、図１に示すような撹拌装置を用いて回転速度２００ｒｐｍで撹拌した。なお、この撹拌装置は、上段傾斜翼の外径１２０ｍｍ、傾斜角度４５°、下段パドル翼の外径１２０ｍｍの撹拌翼（撹拌翼の先端は約３０°後退するように屈折している）を備えている。このときの撹拌レイノルズ数Ｒｎは９．８であった。ポリオールを均一に撹拌しながら、青色染料水溶液を５００ｍｌ滴下し、そのまま撹拌を続けて染料を混合した。撹拌するに従って、白色のポリオールは、青い染料と縞模様を形成しながら、次第に均一な薄紫色に変化していった。
【００４６】
この変化を、図７に示す写真を参照にしながら説明する。図７（ａ）は、染料投入前のポリオールを撹拌している状態であり、ポリオールは白濁色をしている。図７（ｂ）は、撹拌を続けながら青色染料水溶液を投入開始した直後の写真であり、染料の青い帯が見える。図７（ｃ）は、染料投入終了時点であり、表面全体に青色染料が拡がっている。染料投入時間はおよそ５秒であった。図７（ｄ）は、染料投入後１０秒間撹拌した状態であり、染料が中心付近から巻き込まれて行き、外周部には、白いポリオールが浮き上がってきている。図７（ｅ）は、染料投入後２０秒経過、図７（ｆ）は、染料投入後３０秒経過、図７（ｇ）は、染料投入後６０経過、図７（ｈ）は、染料投入後９０秒経過した写真を示す。それぞれ白色と青色の縞がグラデーションに近くなっており、図７（ｈ）では、ほとんど均一な薄紫に近くなっている。図７（ｉ）は、染料投入後１８０秒（３分）経過したところで、撹拌機の撹拌を停止した状態の写真である。ポリオール溶液は、完全に均一な薄紫にとなっている。なお、図７（e）〜７（ｈ）の液面上に見られる部分的な白色部は光の反射によるもので、未混合の流体ではない。
【００４７】
５４００ｃＰという高粘度流体に対して、比較的低い撹拌レイノルズ数（同一撹拌翼径、流体粘度の撹拌においては低回転を意味する）でも短時間で充分な撹拌が可能であるので、単位容積当たりの撹拌動力（本実施例１、２、３、４の撹拌に必要な動力はすべて７０Ｗ以下であった。）が低くても有効な撹拌が可能である。従来の撹拌翼（例えば、図６に示すような撹拌翼）では、撹拌レイノルズ数が４０〜５０の撹拌領域では、一般のリボン翼よりも撹拌効率が悪いといわれている。
【００４８】
（実施例２）
実施例１と同じ撹拌装置を備えた撹拌槽に、２０℃のときの粘度7５００ｃＰ（２０℃で７．５Ｐa・Sec、１７℃で１０Ｐa・Sec）のポリオール溶液（ポリオールに添加剤を加えたポリウレタン樹脂原料）をドライアイスで均一に冷却して１７℃として７Ｌ仕込んだ。このポリオール溶液を回転速度２００ｒｐｍで撹拌した。このときの撹拌レイノルズ数Ｒｎは５．３であった。ポリオール溶液が均一に撹拌されだした時点で、撹拌を続けながら青色染料水溶液を５００ｍL滴下した。ポリオール溶液は、青い縞になりながら次第に薄紫色に変化していった。なお、撹拌終了時のポリオール溶液の温度は２０℃であった。
【００４９】
実施例１と同様に、青色染料水溶液投入、撹拌混合状態を肉眼観察した。青色染料水溶液投入後１０秒くらいは、実施例１と同様に青い縞模様が見えるが、その後、縞模様がグラデーションを帯びてきて、次第に均一な薄紫に変わっていった。ポリオール溶液が均一な薄紫色になるまでの時間は、約２.５分であった。実施例１よりも低い撹拌レイノルズ数Ｒｎであっても、むしろ好適な混合が実現できた。
【００５０】
（実施例３）
実施例１と同一の撹拌装置を備えた撹拌槽に、２５℃のときの粘度２５００ｃＰ（２．５Ｐa・ｓeｃ）のポリオール（ポリウレタン樹脂原料）を７Ｌ仕込み、粘度１００ｃＰ以下の添加剤を０．５Ｌ投入して、１４０ｒｐｍで撹拌した。このときの流体温度は２５℃で撹拌レイノルズ数Ｒｎは１４．８であった。１５分間混合した後、撹拌槽からポリオールを０．５Ｌ取り出し、イソシアネートと規定量混合してポリウレタン樹脂を反応生成させ、当該ポリオールが低粘度、且つ少量の添加剤と完全に混合されているかを、生成された樹脂の内部発泡状態で目視判断したが、きわめて均一な品質のポリウレタン樹脂が得られた。
【００５１】
ポリオールが添加剤と完全に混合されていない場合には、発泡ポリウレタン樹脂の内部に不均一な泡が生じたり、未反応の部分が生じたりするが、この混合ポリオールはきわめて均質であり、ポリオールと添加剤との混合は完全であることが分かった。良質なポリウレタン樹脂を作成するには、均質な混合ポリオールの生成がきわめて重要であり、通常の撹拌翼（多段プロペラ翼が多い）と撹拌槽の組み合わせでは、１２０分以上をかけて混合していたのに較べ、およそ１／８の時間（１５分）に短縮された。これはポリウレタン製造ラインの設計やコスト、設備コストにきわめて有効と考えられる。
【００５２】
（実施例４）
実施例１と同一の撹拌装置を備えた撹拌槽に、２５℃のときの粘度７０００ｃＰ（７Ｐa・ｓeｃ）の水飴を７Ｌ仕込み、粘度５ｃＰ以下のヨードを２ｃｃ投入して毎分１８０回転で混合した。撹拌開始時の流体温度は２５℃で終了時の流体温度も２５℃と変化がなかった。撹拌レイノルズ数Ｒｎは６.６であった。本実施例は、撹拌翼周りの流れを目視可能にし、本発明の効果を確認するために行った。
【００５３】
回転翼を一時的に停止し、撹拌槽内のヨードの混合状態の変化を表す写真を図８に示す。図８（ａ）は、撹拌開始４秒後であり、撹拌翼の回転軸に沿って流体が引き込まれる状態を表す。図８（ｂ）は、撹拌開始６秒後であり、傾斜翼の下半面に沿って流体が回転軸方向且つ下側に引き込まれる状態である。図８（ｃ）は、撹拌開始１０秒後であり、傾斜翼の下半面から下部のパドル翼に流体が流れる状態である。図８（ｄ）は、図８（ｃ）の状態を、角度を変えて撮ったものである。傾斜翼の下半面に沿って流体が回転軸方向、且つ下側に引き込まれる状態をよく表している。傾斜翼の下半分では撹拌翼から遠心方向への流れは見られない。図８（ｅ）は、撹拌開始１５秒後であり、撹拌槽最下部に達した流れが旋回しながら撹拌槽の表層まで上昇している様が見られる。同時に高粘度層を引き延ばし重ねる働きが見える。ヨードが幾重にも重なった細い層になっている。また、撹拌槽の最下部中心まで充分に混合されていることがわかる。図８（ｆ）は、図８（ｅ）の状態を上から撮影した。旋回するヨードの層が表層から撹拌軸の中心から引き込まれていることがわかる。撹拌槽最下部に達した流れが旋回しながら撹拌槽の表層まで上昇している様が見られる。なお、この水飴は４５秒で混合が完了した。
【００５４】
（実施例５）
実際の製造ラインに使用されるものと同一寸法の、上段傾斜翼の外径０．３５ｍ、傾斜角度４５°、下段パドル翼の外径０．３５ｍｍの撹拌翼（撹拌翼の先端は約３０°後退するように屈折している）を備えた、図１に示すような撹拌翼を製作し、内径０．６ｍ、高さ１．１ｍの撹拌槽に設置して撹拌性能を確認した。撹拌槽に２７℃のポリオール（温度２７℃で約２０００ｃＰ）２００Ｌを投入し、粘度１００ｃＰ以下の添加剤を１４Ｌ（ポリオール総量に対して７質量％）投入して毎分８３回転で撹拌した。このときの撹拌レイノルズ数Ｒｎは９４以下であった。撹拌動力は約１.２ＫＷであった。１５分間混合した後、撹拌槽からポリオールを０．５Ｌ取り出し、イソシアネートと規定量混合してポリウレタン樹脂を反応生成し、当該ポリオールが添加剤と完全に混合されているかを、生成された樹脂の内部発泡状態で目視判断したところ、良好であった。本混合ポリオールではきわめて均一な品質が得られた。
【００５５】
なお、図６に示すような撹拌装置やプロペラ型もしくはパドル型のような、従来の撹拌装置を備えた撹拌槽では、同一の容量でポリオールが添加剤と完全に混合されルまでに１２０分を要することがわかっている。この実施例の撹拌装置を備えた撹拌槽は、混合時間を大幅に短縮できるのみならず、撹拌槽自体を小型化できる利点もある。また、従来の撹拌翼では大量の気泡を巻き込み、この泡のために製品品質が低下していたが、本発明品では撹拌翼の特殊な形状と、低撹拌回転数で混合できることから、泡の巻き込みが無く脱泡のための静置時間を必要としない。従来は脱泡するのに長時間を有したが、本発明の撹拌装置によれば、脱泡時間が不用であり、ポリオール混合溶液製造に関わる時間が大幅に短縮され、製品コストの低減が可能になる。
【００５６】
（実施例６）
実際の製造ラインに使用されるさらに大型の、外径０．５１ｍ、傾斜角度４５°、下段パドル翼の外径０．５１ｍｍの撹拌翼（撹拌翼の先端は約３０°後退するように屈折している）を備えた、図１に示すような撹拌翼を製作し、内径０．８ｍ、高さ１．１ｍの撹拌槽に設置して撹拌性能を確認した。撹拌槽に２７℃のポリオール（温度２７℃で２０００ｃＰ）５００Ｌを投入し、粘度１００ｃＰ以下の添加剤を３５Ｌ（ポリオール総量に対して７％）投入して毎分３３.８回転で混合した。このときの撹拌レイノルズ数Ｒｎは８１.４であった。撹拌動力は約０．９ＫＷであった。１５分間混合した後、撹拌槽からポリオールを０．５Ｌ取り出し、イソシアネートと規定量混合してポリウレタン樹脂を反応生成し、当該ポリオールが添加剤と完全に混合されているかを、生成された樹脂の内部発泡状態で目視判断した結果、本混合ポリオールでもきわめて均一な品質が得られた。
【００５７】
実施例５と同様に、従来の撹拌槽では同一の容量で良好な混合を得るのに１２０分以上を要するが、このような大型の撹拌槽でも同様に混合時間を大幅に短縮でき、且つ気泡の巻き込みもないことが分かった。
【００５８】
実施例１〜６の結果から分かるように、高粘度流体に対する撹拌効率は、本発明の撹拌装置を備えた撹拌槽を用いた場合、従来の撹拌槽に較べ明らかに向上した。また、高粘度流体に対して、少量の低粘度流体を混合する場合にも良好な撹拌作用を示している。一般に、撹拌翼寸法、流体密度や粘度が異なっていても、同一の撹拌レイノルズ数では同様の撹拌効果が得られと考えられている。実験により、本発明の撹拌装置は撹拌レイノルズ数が１００以下程度の領域で使用するのがもっとも撹拌効率がよいことがわかっている。
【００５９】
一般に、高粘度流体の層流流れでは、流体密度と静粘性係数が同じ場合、本発明の様な形状の撹拌翼では、撹拌動力は撹拌レイノルズ数の自乗に比例するから、本発明の撹拌装置は、撹拌槽が大型になっても撹拌に要する動力がほとんど変わらないことがわかる。実施例５，６の動力を比較すると、２００Ｌ槽と５００Ｌ槽の撹拌レイノルズ数はそれぞれ９４と８１.４であるから、撹拌レイノルズ数の自乗の比から、５００Ｌ槽の撹拌動力は２００L槽の０．７５倍になるはずである。実際の計測では０.９ＫＷ/１.２ＫＷ=０．７５であり、計算による予想動力値と一致していることがわかる。この実施例では大型の撹拌槽の方が低い動力になっている。
【産業上の利用可能性】
【００６０】
本発明は、例えば、１０００ｃＰ（１Ｐａｓ）以上の高粘度流体同士の混合、高粘度流体に低粘度流体を混合する場合、撹拌中に高粘度化する流体を撹拌する場合、高粘度流体の熱交換による均一な冷却や加熱などに適用することができる。
【図面の簡単な説明】
【００６１】
【図１】本発明の撹拌装置の概略図；  （ａ）は正面図、（ｂ）は平面図
【図２】本発明の撹拌装置における（ａ）傾斜翼の平面図、（ｂ）垂直板が下側に垂れた傾斜翼の例、（ｃ）垂直板が上下両側に付いた傾斜翼の例、（ｄ）略三角形の垂直板が上下両側に付いた傾斜翼の別の例、（ｅ）二組の傾斜翼を備えた例
【図３】下降流と上昇流の干渉の説明図；  （ａ）は本発明の撹拌装置、（ｂ）は従来の撹拌装置
【図４】従来の撹拌装置例（１）の概略図（正面図）
【図５】従来の撹拌装置例（２）の概略図（正面図）
【図６】従来の撹拌装置例（３）の概略図（正面図）
【図７】ポリオールに染料を添加して撹拌したときの混合状態を表す写真
【図８】水飴にヨードを添加して撹拌したときの混合状態を表す写真
【符号の説明】
【００６２】
１  ：撹拌装置
２  ：撹拌槽
３  ：回転軸
４  ：板状パドル
５  ：傾斜翼
６  ：傾斜翼
７  ：垂直板
８  ：垂直板
９  ：接続治具
１０  ：邪魔板
１１  ：撹拌装置
１２  ：撹拌槽
１３  ：回転軸
１４  ：板状パドル
１５  ：傾斜翼
１６  ：傾斜翼
２０  ：撹拌装置
２１  ：平板パドル
２４  ：回転軸
２６  ：壁寄り傾斜パドル
２９  ：軸寄り傾斜パドル
３０  ：撹拌装置
３１  ：撹拌槽
３２  ：回転軸
３６  ：邪魔板
３７  ：上部傾斜翼
３８  ：下部傾斜翼
３９  ：板状パドル傾斜翼
【図１】
2010058027.tif 000003
【図２】
2010058027.tif 000004
【図３】
2010058027.tif 000005
【図４】
2010058027.tif 000006
【図５】
2010058027.tif 000007
【図６】
2010058027.tif 000008
【図７】
2010058027.tif 000009
【図８】
2010058027.tif 000010